(57)【要約】【課題】Ａ／Ｄ変換器を用いない簡易な構成で操作量に応じた多段階の値の入力を可能とする。【解決手段】それぞれ電極が配列されて形成された第１〜第ｎの電極パターン（パターンＡ，Ｂ）と、基準位置を中心として正方向及び逆方向に操作可能とされ、第１〜第ｎの電極パターンと接触する接触子と、それぞれが第１〜第ｎの電極パターン上の電極と上記接触子の接触状態の有無に応じた値を出力する第１〜第ｎの出力点ＩＡ、ＩＢから成るｎビット出力点を設ける。第１〜第ｎの各電極パターンは、基準位置を中心とした接触子の正方向及び逆方向の操作方向のそれぞれについて、操作量に応じた最大２ｎ−１個のｎビット論理値がｎビット出力点から得られ、かつ、正方向への操作時と逆方向への操作時とでｎビット出力点での論理値発生順序が異なるように、各電極Ａ１，Ａ２，Ａ３，Ｂ１，Ｂ２，Ｂ３の配列状態を設定する。【選択図】　　　　図１
2004020507.tif 000002
【特許請求の範囲】
【請求項１】
それぞれ電極が配列されて形成された第１〜第ｎの電極パターンと、
基準位置を中心として正方向及び逆方向に操作可能とされ、上記第１〜第ｎの電極パターンと接触する接触子と、
それぞれが上記第１〜第ｎの電極パターン上の電極と上記接触子の接触状態の有無に応じた値を出力する第１〜第ｎの出力点から成るｎビット出力点と、
を備え、
上記第１〜第ｎの各電極パターンは、上記基準位置を中心とした上記接触子の正方向及び逆方向の操作方向のそれぞれについて、操作量に応じた最大２ｎ−１個のｎビット論理値が上記ｎビット出力点から得られ、かつ、正方向への操作時と逆方向への操作時とで上記ｎビット出力点での論理値発生順序が異なるように、各電極配列状態が設定されていることを特徴とする操作入力装置。
【請求項２】
操作入力部と、上記操作入力部からの入力信号に応じて動作制御を行う制御部を備えた電子機器において、
上記操作入力部は、
それぞれ電極が配列されて形成された第１〜第ｎの電極パターンと、
基準位置を中心として正方向及び逆方向に操作可能とされ、上記第１〜第ｎの電極パターンと接触する接触子と、
それぞれが上記第１〜第ｎの電極パターン上の電極と上記接触子の接触状態の有無に応じた値を出力する第１〜第ｎの出力点から成るｎビット出力点とを備え、
上記第１〜第ｎの各電極パターンは、上記基準位置を中心とした上記接触子の正方向及び逆方向の操作方向のそれぞれについて、操作量に応じた最大２ｎ−１個のｎビット論理値が上記ｎビット出力点から得られ、かつ、正方向への操作時と逆方向への操作時とで上記ｎビット出力点での論理値発生順序が異なるように、各電極配列状態が設定されており、
上記制御部は、
上記ｎビット出力点で得られるｎビット論理値における論理値発生順序から検出した操作方向と、上記ｎビット出力点で得られるｎビット論理値とに基づいて、上記操作入力部からの入力信号を判別する判別手段を備えていることを特徴とする電子機器。
【発明の詳細な説明】
【０００１】
【発明の属する技術分野】
本発明は操作入力装置、及び操作入力装置を備えた電子機器に関するものである。
【０００２】
【従来の技術】
ＣＤ、ＤＶＤ等のディスクに対して記録再生を行うディスクプレーヤやＶＴＲ機器、オーディオアンプなどの電子機器においては、ロータリエンコーダと呼ばれる回動型の操作部（以下、回動操作部）や、スライドレバーなどの直線摺動型の操作部（以下、スライド操作部）が設けられるものがある。
もちろん、ＡＶ（オーディオ・ビジュアル）機器に限らず、各種分野で多様な電子機器においても採用されている。
【０００３】
【発明が解決しようとする課題】
ところで、ディスクプレーヤやＶＴＲ機器などにおいては、例えば再生音声／映像の早送りや早戻しのための操作子として、例えばジョグダイヤルなどの形態で回動操作部が形成される。
特に回動操作部が形成される場合、その回動操作量によって早送りや早戻しの速度を調節できるようにするなどしてユーザーの操作性を向上させている。
そしてこのような操作目的に用いる場合は、例えば操作された回動角度を検出するために、操作量に応じた値を取り出すようにしなければならない。
【０００４】
回動操作部としては、電圧変動型とパルス型が知られている。電圧変動型は、通常の可変抵抗器のように回動位置に応じて異なる電圧値を取り出し、それをＡ／Ｄ変換器でデジタル値に変換することで、操作された回動角度に応じた値、つまり複数段階の操作入力値を得ることができる。
従って、例えば早送りや早戻しの速度を、回動量（回動角度）に応じてコントロールさせようとするのであれば、電圧変動型を用いることができる。しかしながら、この場合Ａ／Ｄ変換器が必要となり、コスト的及び回路構成的に好ましくないという問題がある。
【０００５】
パルス型は、回動操作に応じてパルスを発生するものであり、いわゆる２相パルス出力タイプでは回転方向を検出できる。しかしながらパルス型では操作された回動角度に応じた値として、十分な段階数での各値を得ることができない。
例えば２相パルス型では２ビット値を出力可能である。つまり「０」「１」「２」「３」の４つの論理値を得ることはできる。しかしながら、例えば早送りや早戻し速度をそれぞれ多数段階に細かく制御したい場合などは４段階では足りず、その場合は３相以上のパルス発生構造にしなければならない。従って、十分な段階数の入力値を得ようとすれば、それだけ回動操作部の構造が複雑化されてしまい、コスト的にも不利になる。
【０００６】
【課題を解決するための手段】
本発明はこのような問題に鑑みて、Ａ／Ｄ変換器を用いることなく、また構造の複雑化を招かずに、操作量（回動量やスライド量）に応じた段階の値として多数段階の値を取り出すことができるようにした操作入力装置、及びその操作入力装置を備えた電子機器を提供することを目的とする。
【０００７】
このため本発明の操作入力装置は、それぞれ電極が配列されて形成された第１〜第ｎの電極パターンと、基準位置を中心として正方向及び逆方向に操作可能とされ、上記第１〜第ｎの電極パターンと接触する接触子と、それぞれが上記第１〜第ｎの電極パターン上の電極と上記接触子の接触状態の有無に応じた値を出力する第１〜第ｎの出力点から成るｎビット出力点とを備えるようにする。そして上記第１〜第ｎの各電極パターンは、上記基準位置を中心とした上記接触子の正方向及び逆方向の操作方向のそれぞれについて、操作量に応じた最大２ｎ−１個のｎビット論理値が上記ｎビット出力点から得られ、かつ、正方向への操作時と逆方向への操作時とで上記ｎビット出力点での論理値発生順序が異なるように、各電極配列状態が設定されている。
【０００８】
また本発明の電子機器は、上記構成の操作入力部と、操作入力部からの入力信号に応じて動作制御を行う制御部を備えた電子機器である。
そして制御部においては、上記ｎビット出力点で得られるｎビット論理値における論理値発生順序から検出した操作方向と、上記ｎビット出力点で得られるｎビット論理値とに基づいて、上記操作入力部からの入力信号を判別する判別手段を備える。
【０００９】
このような本発明においては、各電極パターンは、そのパターン上に形成された電極に接触子が接触するか否かにより、対応する出力点に「Ｈ」又は「Ｌ」の値を出力する。従って、ｎ個の電極パターン及びｎ個の出力点では、ｎビットの論理値が得られる。
このような点にのみについては、パルス型の一形態といえ、操作量に応じた値として、より多数の値を得ることはできない。ところが、第１〜第ｎの各電極パターンは、基準位置を中心とした接触子の正方向及び逆方向の操作方向のそれぞれについて、操作量に応じた最大２ｎ−１個のｎビット論理値が上記ｎビット出力点から得られ、かつ、正方向への操作時と逆方向への操作時とでｎビット出力点での論理値発生順序が異なるように、各電極配列状態が設定されている。
すると、論理値発生順序が異なることで操作方向を判別でき、操作方向を判別するのであれば正方向と逆方向での同一の論理値を区別できるため、例えばｎ＝２とすると、２ビット論理値として、正方向及び逆方向にそれぞれ３値（つまり２ビットによる４値のうち基準位置での論理値を除いた３値）で、基準位置を合わせて合計７段階の論理値を得ることができる。
【００１０】
【発明の実施の形態】
以下、本発明の操作入力装置の実施の形態として、回動操作部１ａ及びスライド操作部１ｂの例を挙げ、また、その回動操作部１ａ又はスライド操作部１ｂを備えた電子機器として、記録再生装置１０やリモートコントローラ２０の例を挙げて説明する。
なお本発明の操作入力装置としてはロータリエンコーダ型の回動操作部１ａ、直線摺動型のスライド操作部１ｂの両方の例を挙げるが、共通に説明する場合は「回動／スライド操作部１」と記述する。
【００１１】
図１に回動操作部１ａの例の場合の構造を示す。
回動操作部１ａは、記録再生装置１０等において操作パネル上にジョグダイヤルなどの回動可能な操作子として配される。例えば再生の早送り、早戻し操作用の操作子とされる。例えばユーザーは、回動操作部１ａを右方向に回すことで、早送りを、また左方向に回すと早戻しを指示できるものとなる。
【００１２】
この図１の例では、回動操作部１ａは、回転操作の角度位置としてポジションＰ（０）、Ｐ（＋１）、Ｐ（＋２）、Ｐ（＋３）、Ｐ（−１）、Ｐ（−２）、Ｐ（−３）として、７段階の操作ポジションが設定される。
ポジションＰ（０）が基準位置、つまり操作量ゼロのポジションである。
ユーザーが回動操作を行うことで、一点鎖線で示すように接触子Ｓが、電極パターンＡ、Ｂ上で各ポジションに移動される。
【００１３】
右回動の操作を正方向（＋方向）とすれば、基準位置Ｐ（０）からポジションＰ（＋１）、Ｐ（＋２）、Ｐ（＋３）側への操作が、例えば早送り操作とされる。
基準位置Ｐ（０）からの操作量としてみれば、ポジションＰ（＋１）が操作量小、ポジションＰ（＋２）が操作量中、ポジションＰ（＋３）が操作量大となる。
そして操作内容としては、例えばポジションＰ（＋１）が２倍速早送り再生、ポジションＰ（＋２）が４倍速早送り再生、ポジションＰ（＋３）が８倍速早送り再生、などというように、異なる操作内容とすることができる。
【００１４】
また左回動の操作、つまり逆方向（−方向）の操作として、基準位置Ｐ（０）からポジションＰ（−１）、Ｐ（−２）、Ｐ（−３）側への操作が、例えば早戻し操作とされる。
基準位置Ｐ（０）からの操作量としてみれば、ポジションＰ（−１）が操作量小、ポジションＰ（−２）が操作量中、ポジションＰ（−３）が操作量大となる。
操作内容としては、例えばポジションＰ（−１）が２倍速早戻し再生、ポジションＰ（−２）が４倍速早戻し再生、ポジションＰ（−３）が８倍速早戻し再生、などというように、異なる操作内容とすることができる。
【００１５】
回動操作は、正方向にはポジションＰ（＋３）までが限度とされ、逆方向にはポジションＰ（−３）までが限度とされるように、回動可能範囲が制限されている。
また図示しないが、ユーザーが回動操作部１ａを操作しないとき（手を離したとき）は、自動的に接触子Ｓが基準位置Ｐ（０）に戻るように、付勢機構が設けられる。ただし、本発明としては、この付勢機構は必ずしも設けられなくてもよい。
また、各ポジションへの回動操作時には、ユーザーにクリック感が得られてポジション移動を感覚的に認識できるようにクリック機構が形成されてもよい。
【００１６】
接触子Ｓが接触する電極が配列された電極パターンとして、それぞれ円弧状の電極パターンＡ、電極パターンＢが形成される。
電極パターンＡには、電極Ａ１，Ａ２，Ａ３が図示する位置に形成され、電極パターンＢには電極Ｂ１，Ｂ２，Ｂ３が図示する位置に形成される。
また、基準位置Ｐ（０）に相当する電極パターンＡ、Ｂ上には、コモン電極ＣＯＭが配置される。
【００１７】
接触子Ｓは導電体で形成され、ユーザー操作に応じて所要位置に形成された軸を中心に、電極パターンＡ、Ｂ上を摺動接触していく。
この接触子Ｓは、電気的にはコモン電極ＣＯＭ及びグランドに接続されている。
【００１８】
出力点ＩＡと電極Ａ１，Ａ２，Ａ３は、電圧ＶＤから抵抗ＲＡを介したラインが接続される。
また出力点ＩＢと電極Ｂ１，Ｂ２，Ｂ３は、電圧ＶＤから抵抗ＲＢを介したラインが接続される。
従って出力点ＩＡには、パターンＡに対する接触子Ｓの摺動位置状態に応じて「Ｈ」又は「Ｌ」の１ビット信号が得られる。
また出力点ＩＢには、パターンＢに対する接触子Ｓの摺動位置状態に応じて「Ｈ」又は「Ｌ」の１ビット信号が得られる。
このため出力点ＩＡ、ＩＢから、当該回動操作部１ａによる操作情報が２ビットで出力されることになる。
【００１９】
図３により、２ビットの操作情報出力を説明する。
まず接触子Ｓが基準位置Ｐ（０）とされているとき、つまり非操作状態では、接触子Ｓは、パターンＡ上の電極Ａ１，Ａ２，Ａ３に接触せず、またパターンＢ上の電極Ｂ１，Ｂ２，Ｂ３にも接触していない。従って、出力点ＩＡ、ＩＢはいずれも接地されていない状態であり、電圧ＶＤから抵抗ＲＡ、ＲＢを介した電圧が得られる。出力点ＩＡ、ＩＢの各電位を２ビットの操作情報とすると、操作情報は「Ｈ、Ｈ」となる。
【００２０】
接触子ＳがポジションＰ（＋１）に操作されたときは、接触子ＳはパターンＡ上の電極Ａ１に接触し、パターンＢ上の電極には接触しない。このため出力点ＩＡは接地された状態となり出力点ＩＡの電位レベルは「Ｌ」となる。出力点ＩＢは接地されない。従って、出力される操作情報は「Ｌ、Ｈ」となる。
接触子ＳがポジションＰ（＋２）に操作されたときは、接触子ＳはパターンＢ上の電極Ｂ３に接触し、パターンＡ上の電極には接触しない。このため出力点ＩＢは接地された状態となり出力点ＩＢの電位レベルは「Ｌ」となる。出力点ＩＡは接地されない。従って、出力される操作情報は「Ｈ、Ｌ」となる。
接触子ＳがポジションＰ（＋３）に操作されたときは、接触子ＳはパターンＡ上の電極Ａ２、及びパターンＢ上の電極Ｂ３に接触する。このため出力点ＩＡ、ＩＢはともに接地された状態となり出力点ＩＡ、ＩＢの電位レベルは「Ｌ」となる。従って、出力される操作情報は「Ｌ、Ｌ」となる。
【００２１】
接触子ＳがポジションＰ（−１）に操作されたときは、接触子ＳはパターンＢ上の電極Ｂ１に接触し、パターンＡ上の電極には接触しない。このため出力点ＩＢは接地された状態となり出力点ＩＢの電位レベルは「Ｌ」となる。出力点ＩＡは接地されない。従って、出力される操作情報は「Ｈ、Ｌ」となる。
接触子ＳがポジションＰ（−２）に操作されたときは、接触子ＳはパターンＡ上の電極Ａ３に接触し、パターンＢ上の電極には接触しない。このため出力点ＩＡは接地された状態となり出力点ＩＡの電位レベルは「Ｌ」となる。出力点ＩＢは接地されない。従って、出力される操作情報は「Ｌ、Ｈ」となる。
接触子ＳがポジションＰ（−３）に操作されたときは、接触子ＳはパターンＡ上の電極Ａ３、及びパターンＢ上の電極Ｂ２に接触する。このため出力点ＩＡ、ＩＢはともに接地された状態となり出力点ＩＡ、ＩＢの電位レベルは「Ｌ」となる。従って、出力される操作情報は「Ｌ、Ｌ」となる。
【００２２】
ここで、接触子Ｓが正方向に回動され、ポジションＰ（＋１）、Ｐ（＋２）、Ｐ（＋３）に順に接触されていくとすると、順番に出力される操作情報は、「Ｌ、Ｈ」「Ｈ、Ｌ」「Ｌ、Ｌ」となる。
また接触子Ｓが逆方向に回動され、ポジションＰ（−１）、Ｐ（−２）、Ｐ（−３）に順に接触されていくとすると、順番に出力される操作情報は、「Ｈ、Ｌ」「Ｌ、Ｈ」「Ｌ、Ｌ」となる。
【００２３】
ポジションＰ（＋１）とポジションＰ（−２）は共に「Ｌ、Ｈ」である。
ポジションＰ（＋２）とポジションＰ（−１）は共に「Ｈ、Ｌ」である。
ポジションＰ（＋３）とポジションＰ（−３）は共に「Ｌ、Ｌ」である。
２ビット値が同一となる各ポジションは、その出力値のみでは区別できないが、基準位置Ｐ（０）からの操作過程において、発生する論理値の順序が異なることにより区別できることになる。
【００２４】
即ち、基準位置Ｐ（０）で操作情報が「Ｈ、Ｈ」となっている状態から、最初に「Ｌ、Ｈ」が検出されたら、正方向への操作が行われていることが判別できる。そして、その状態のままであれば、ユーザーがポジションＰ（＋１）への回動操作を行ったと判別できる。
また、続いて操作情報が「Ｈ、Ｌ」となればユーザーがポジションＰ（＋２）への回動操作を行ったと判別でき、さらに続いて操作情報が「Ｌ、Ｌ」となればユーザーがポジションＰ（＋３）への回動操作を行ったと判別できる。
【００２５】
一方、基準位置Ｐ（０）で操作情報が「Ｈ、Ｈ」となっている状態から、最初に「Ｈ、Ｌ」が検出されたら、逆方向への操作が行われていることが判別できる。そして、その状態のままであれば、ユーザーがポジションＰ（−１）への回動操作を行ったと判別できる。
また、続いて操作情報が「Ｌ、Ｈ」となればユーザーがポジションＰ（−２）への回動操作を行ったと判別でき、さらに続いて操作情報が「Ｌ、Ｌ」となればユーザーがポジションＰ（−３）への回動操作を行ったと判別できる。
【００２６】
つまり本例の回動操作部１ａは、それぞれ電極（Ａ１，Ａ２，Ａ３）（Ｂ１，Ｂ２，Ｂ３）が配列されて形成された電極パターンＡ，Ｂを有し、また、基準位置Ｐ（０）を中心として正方向及び逆方向に操作可能とされ、電極パターンＡ，Ｂと接触する接触子Ｓを有する。また、それぞれが電極パターンＡ，Ｂ上の電極と接触子Ｓの接触状態の有無に応じた値を出力する出力点ＩＡ、ＩＢから成る２ビット出力点を備える。
そして各電極パターンＡ，Ｂは、基準位置Ｐ（０）を中心とした接触子Ｓの正方向及び逆方向の操作方向のそれぞれについて、操作量に応じた３個（「Ｌ、Ｈ」「Ｈ、Ｌ」「Ｌ、Ｌ」）の２ビット論理値が、出力点ＩＡ、ＩＢから成る２ビット出力点から得られ、かつ、正方向への操作時と逆方向への操作時とでｎビット出力点での論理値発生順序が、「Ｌ、Ｈ」→「Ｈ、Ｌ」→「Ｌ、Ｌ」と、「Ｈ、Ｌ」→「Ｌ、Ｈ」→「Ｌ、Ｌ」というように異なるべく、各電極配列状態が設定されている。
【００２７】
これによって、操作情報として２ビット値を得るための２相構造の回動操作部１ａでありながら、基準位置Ｐ（０）を含めて７ポジションの操作情報を得ることができるようにされるものである。
【００２８】
図２は、スライド操作部１ｂとしての構造を示している。
スライド操作部１ｂは、記録再生装置１０等において操作パネル上にスライドレバーなどの直線方向に摺動可能な操作子として配される。これも、例えば再生の早送り、早戻し操作用の操作子とすることができる。
【００２９】
スライド操作部１ｂの構造は、基本的には図１の回動操作部１ａと同様である。パターンＡ、Ｂは直線上に形成され、上記回動操作部１ａと同様に電極Ａ１，Ａ２，Ａ３、電極Ｂ１，Ｂ２，Ｂ３、及びコモン電極ＣＯＭが形成される。
接触子Ｓは、ユーザーのスライド操作に応じて、パターンＡ、Ｂ上を直線的に摺動する。そして、基準位置Ｐ（０）を中心として正方向及び逆方向に、一点鎖線で示すように各ポジションＰ（＋１）、Ｐ（＋２）、Ｐ（＋３）、Ｐ（−１）、Ｐ（−２）、Ｐ（−３）としての操作ポジションを得る。
各部の電気的接続状態は図１と同様である。そして出力点ＩＡ、ＩＢに得られる操作情報は、各ポジションへのスライド操作に対応して、図３で説明したとおりとなる。
つまり、このスライド操作部１ｂにおいても、回動操作部１ａと同様に、操作情報として２ビット値を得るための２相構造の回動操作部１ａでありながら、基準位置Ｐ（０）を含めて７ポジションの操作情報を得ることができるようにされるものである。
【００３０】
なお、図２に示すパターンＡ、Ｂがパターン面方向に湾曲された円周面内面側とし、その円周面内面側に電極Ａ１，Ａ２，Ａ３、電極Ｂ１，Ｂ２，Ｂ３が配されていると考え、さらに接触子Ｓがその円周面内面側を摺動する構造と考えれば平面上を直線摺動するスライド型操作子だけでなく、回動レバー形態の操作子構造も、この図２のようになる。
【００３１】
次に、上記のような回動／スライド操作部１（回動操作部１ａ又はスライド操作部１ｂ）が設けられる記録再生装置１０、及びリモートコントローラ２０について説明する。
図４は、例えばＣＤやＤＶＤなどのディスク９０に対する記録再生装置１０のブロック図である。
【００３２】
記録再生ヘッド部３は、ディスク９０に対する情報の記録再生を行う。即ちディスク９０を回転させるスピンドルモータ、レーザ光照射によって情報の書込及び読出を行う光学ピックアップ、ピックアップによって得られた反射光情報から読出情報抽出やサーボエラー信号の生成等を行うマトリクスアンプ、ピックアップの移送（スレッド）機構などを備える。
【００３３】
エンコード／デコード部４は、再生時のデコード処理、記録時のエンコード処理を行う。
入出力部は、記録再生にかかるオーディオデータ、ビデオデータの入出力処理を行う。
【００３４】
再生時には、エンコード／デコード部４は記録再生ヘッド部３から供給された読出情報に対して、２値化、記録データフォーマットに対するデコード、エラー訂正、圧縮処理に対するデコードなどを行って再生データを得る。その再生データは入出力部で出力形態に応じた処理が施されて出力端子Ｔｏｕｔから出力される。例えばＡ／Ｄ変換されてアナログ信号として出力されたり、あるいは伝送フォーマット処理されてデジタルデータとして出力される。
記録時には、入力端子Ｔｉｎから入力されたデジタル形態或いはアナログ形態のオーディオ信号又はビデオ信号が、入出力部５で所定の入力処理され、エンコード／デコード部４に転送される。エンコード／デコード部４では、圧縮処理、エラー訂正符号化、記録データフォーマットなどのエンコード処理を行って記録再生ヘッド部３に供給する。記録再生ヘッド部３は供給された記録データに応じてレーザ光照射を行い、ディスク９０にデータ書込を行う。
【００３５】
サーボ部６は、記録再生ヘッド部３に対するサーボ制御動作を行う。記録再生ヘッド部３におけるマトリクス回路からのフォーカスエラー信号、トラッキングエラー信号から、フォーカス、トラッキング、スレッドの各種サーボドライブ信号を生成しサーボ動作を実行させる。またスピンドルサーボを実行する。
またサーボ部６は、コントローラ２からのトラックジャンプ指令、アクセス指令に応じて、トラックジャンプ動作や所定位置へのアクセス動作を実行させる。例えばディスク９０に対する再生早送り、早戻しは、記録再生ヘッド部３にトラックジャンプを連続的に実行させることで実現される。
【００３６】
コントローラ２は、ユーザーの操作及び動作プログラムに応じて、以上の各部の動作制御を行ない、記録、再生、早送りなどの変速再生などの動作を実行させる。
ユーザーの操作は、操作パネル７に形成された各種操作子や、リモートコントローラ２０によって行われる。
操作パネル７には、例えば再生キー、停止キー、記録キー、モードキー、その他所要の操作キーＳ１，Ｓ２・・・が設けられ、コントローラ２は、操作キーＳ１，Ｓ２・・・が押されることで、ユーザーの操作内容を検知し、所定の制御を実行する。
また操作パネル７には、図１，図２で説明した構造の回動／スライド操作部１が設けられており、その出力点ＩＡ、ＩＢによる２ビット論理値が操作情報としてコントローラ２に入力される。コントローラ２は、２ビット論理値の操作情報から、例えば早送り、早戻しとしての操作を検出し、所定の制御を行う。
なお、図示する出力点ＩＰについては回動／スライド操作部１の変形例として後述する説明において述べる。
【００３７】
リモートコントローラ２０には、操作子として、各種操作キーＫ及び回動／スライド操作部１が形成されている。
このリモートコントローラ２０は、操作キーＫ或いは回動／スライド操作部１が操作された際に、その操作に応じた操作情報を赤外線信号として出力する。
記録再生装置１０には赤外線受光部９が設けられ、リモートコントローラ２０から出力された赤外線信号を受光して電気信号に変換し、操作情報としてコントローラ２に供給する。コントローラ２は入力された操作情報に基づいて所定の処理を実行する。
【００３８】
図５にリモートコントローラ２０の構成を示す。
リモートコントローラ２０には図１，図２で説明した構造の回動／スライド操作部１が設けられており、回動／スライド操作部１による操作情報は出力点ＩＡ、ＩＢによる２ビット論理値としてＣＰＵ２１に入力される。
なお、図示する出力点ＩＰについては、回動／スライド操作部１の変形例として後述する。
【００３９】
また操作キーＫは、キーマトリクス２４としての接点構造で形成され、操作キーＫとしての操作情報は、キーマトリクス２４からの入力としてＣＰＵ２１に供給される。
【００４０】
ＣＰＵ２１は、クロック発振器２２からのクロックに基づいて処理を行う。またＣＰＵ２１は、内部にコマンドデータを記憶したＲＯＭを有している。そして回動／スライド操作部１、或いはキーマトリクス２４からの操作情報に基づいて、内部ＲＯＭから対応するコマンドデータを読み出して、発光駆動回路２３に出力する。
例えばＣＰＵ２１は、回動／スライド操作部１からの２ビット論理値の操作情報に基づいて内部ＲＯＭから、早送り、早戻しとしてのコマンドデータを読み出し、発光駆動回路２３に出力する。或いはキーマトリクス２４からの操作情報に基づいて内部ＲＯＭから、例えば再生、停止、記録、モード操作などのコマンドデータを読み出し、発光駆動回路２３に出力する。
なお、各部には乾電池、充電池を電源として、電源電圧Ｖ１が供給される。
【００４１】
発光駆動回路２３は、図示するようにトランジスタＱ１、コンデンサＣ１，Ｃ２、抵抗Ｒ１、コイルＬ１を有して構成され、発光ダイオードＤ１，Ｄ２に流れる電流を制御する構成とされる。
ＣＰＵ２１からのコマンドデータ（パルスデータ）出力は、抵抗Ｒ１を介してトランジスタＱ１のベースに対する電流信号とされ、従ってコマンドデータパルスに応じてトランジスタＱ１がオン／オフされる。このトランジスタＱ１のスイッチングによってダイオードＤ１、Ｄ２に流れる電流が制御され、ダイオードＤ１、Ｄ２からは、コマンドデータパルスに応じた赤外線発光が行われることになる。
【００４２】
上記のように記録再生装置１０においては、回動／スライド操作部１からの２ビット論理値としての操作情報は、コントローラ２が入力して、その操作内容を判別する。
またリモートコントローラ２０においては、回動／スライド操作部１からの２ビット論理値としての操作情報は、ＣＰＵ２１が入力して、その操作内容を判別する。
コントローラ２、或いはＣＰＵ２１による、回動／スライド操作部１からの操作情報入力の対応処理について図６，図７で説明する。
【００４３】
回動／スライド操作部１からは図３で説明したように、各操作ポジションに応じた２ビット値が出力されることになる。
図６に、コントローラ２（ＣＰＵ２１）が、出力点ＩＡ、ＩＢから得られる２ビット値の波形を示している。
なお、時点ｔ０は回動／スライド操作部１に対するユーザーの操作が開始された瞬間の時点とする。
【００４４】
図６（ａ）は、ユーザーが回動／スライド操作部１を基準位置Ｐ（０）からポジションＰ（＋１）に操作した場合である。この場合、例えば操作開始直後のｔ１時点で、出力点ＩＡが「Ｌ」に変化したことが検知でき、これによってコントローラ２（ＣＰＵ２１）は、正方向操作であると判別できる。
また、ユーザーはポジションＰ（＋１）の位置状態を保つため、その直後のｔ２時点で、２ビット値が「Ｌ、Ｈ」であることを検知できる。従ってコントローラ２（ＣＰＵ２１）は、ポジションＰ（＋１）への操作、例えば２倍速早送り操作と判別できる。
【００４５】
図６（ｂ）は、ユーザーが回動／スライド操作部１を基準位置Ｐ（０）からポジションＰ（＋２）に操作した場合である。この場合、例えば操作開始直後のｔ１時点で、出力点ＩＡが「Ｌ」に変化したことが検知でき、これによってコントローラ２（ＣＰＵ２１）は、正方向操作であると判別できる。
また、ユーザーがポジションＰ（＋２）の位置まで回動させる過程で出力点ＩＡが「Ｈ」に変化し、出力点ＩＢが「Ｌ」に変化する。従って、例えばｔ２時点で、コントローラ２（ＣＰＵ２１）は、２ビット値が「Ｈ、Ｌ」であることを検知でき、ポジションＰ（＋２）への操作、例えば４倍速早送り操作と判別できる。
【００４６】
図６（ｃ）は、ユーザーが回動／スライド操作部１を基準位置Ｐ（０）からポジションＰ（＋３）まで操作した場合である。この場合、例えば操作開始直後のｔ１時点で、出力点ＩＡが「Ｌ」に変化したことが検知でき、これによってコントローラ２（ＣＰＵ２１）は、正方向操作であると判別できる。
また、ユーザーがポジションＰ（＋３）の位置まで回動させる過程で出力点ＩＡが「Ｈ」に変化し、出力点ＩＢが「Ｌ」に変化する。さらにその後出力点ＩＡが「Ｌ」に変化する。従って、例えばｔ２時点で、コントローラ２（ＣＰＵ２１）は、２ビット値が「Ｌ、Ｌ」であることを検知でき、ポジションＰ（＋３）への操作、例えば８倍速早送り操作と判別できる。
【００４７】
図６（ｄ）は、ユーザーが回動／スライド操作部１を基準位置Ｐ（０）からポジションＰ（−１）に操作した場合である。この場合、例えば操作開始直後のｔ１時点で、出力点ＩＢが「Ｌ」に変化したことが検知でき、これによってコントローラ２（ＣＰＵ２１）は、逆方向操作であると判別できる。
また、ユーザーはポジションＰ（−１）の位置状態を保つため、その直後のｔ２時点で、２ビット値が「Ｈ、Ｌ」であることを検知できる。従ってコントローラ２（ＣＰＵ２１）は、ポジションＰ（−１）への操作、例えば２倍速早戻し操作と判別できる。
【００４８】
図６（ｅ）は、ユーザーが回動／スライド操作部１を基準位置Ｐ（０）からポジションＰ（−２）に操作した場合である。この場合、例えば操作開始直後のｔ１時点で、出力点ＩＢが「Ｌ」に変化したことが検知でき、これによってコントローラ２（ＣＰＵ２１）は、逆方向操作であると判別できる。
また、ユーザーがポジションＰ（−２）の位置まで回動させる過程で出力点ＩＡが「Ｌ」に変化し、出力点ＩＢが「Ｈ」に変化する。従って、例えばｔ２時点で、コントローラ２（ＣＰＵ２１）は、２ビット値が「Ｌ、Ｈ」であることを検知でき、ポジションＰ（−２）への操作、例えば４倍速早戻し操作と判別できる。
【００４９】
図６（ｆ）は、ユーザーが回動／スライド操作部１を基準位置Ｐ（０）からポジションＰ（−３）まで操作した場合である。この場合、例えば操作開始直後のｔ１時点で、出力点ＩＢが「Ｌ」に変化したことが検知でき、これによってコントローラ２（ＣＰＵ２１）は、逆方向操作であると判別できる。
また、ユーザーがポジションＰ（−３）の位置まで回動させる過程で出力点ＩＡが「Ｌ」に変化し、出力点ＩＢが「Ｈ」に変化する。さらにその後出力点ＩＢが「Ｌ」に変化する。従って、例えばｔ２時点で、コントローラ２（ＣＰＵ２１）は、２ビット値が「Ｌ、Ｌ」であることを検知でき、ポジションＰ（−３）への操作、例えば８倍速早戻し操作と判別できる。
【００５０】
図７は、以上のような回動／スライド操作部１からの操作情報の検出のための、コントローラ２（ＣＰＵ２１）の処理を、検出状態の遷移図として示したものである。
【００５１】
回動／スライド操作部１に対してユーザーが操作していない状態では２ビット論理値が「Ｈ、Ｈ」となっており、コントローラ２（ＣＰＵ２１）はこれにより基準位置Ｐ（０）の状態であることを検知する。
この基準位置状態「Ｈ、Ｈ」から出力点ＩＡが「Ｌ」に変化して、２ビット論理値が「Ｌ、Ｈ」となったら、ポジションＰ（＋１）への操作と判別する。
一方、基準位置状態「Ｈ、Ｈ」から出力点ＩＢが「Ｌ」に変化して、２ビット論理値が「Ｈ、Ｌ」となったら、ポジションＰ（−１）への操作と判別する。
【００５２】
ポジションＰ（＋１）における「Ｌ、Ｈ」の状態から、出力点ＩＡが「Ｈ」に変化し、同時に出力点ＩＢが「Ｌ」に変化して、２ビット論理値が「Ｈ、Ｌ」となったら、ポジションＰ（＋２）への操作と判別する。
一方、ポジションＰ（＋１）における「Ｌ、Ｈ」の状態から、出力点ＩＡが「Ｈ」に変化して、２ビット論理値が「Ｈ、Ｈ」となったら、基準位置Ｐ（０）に復帰したと判別する。
【００５３】
ポジションＰ（＋２）における「Ｈ、Ｌ」の状態から、出力点ＩＡが「Ｌ」に変化して、２ビット論理値が「Ｌ、Ｌ」となったら、ポジションＰ（＋３）への操作と判別する。
一方、ポジションＰ（＋２）における「Ｈ、Ｌ」の状態から、出力点ＩＡが「Ｌ」に変化し、同時に出力点ＩＢが「Ｈ」に変化して、２ビット論理値が「Ｌ、Ｈ」となったら、ポジションＰ（＋１）へ戻した操作と判別する。
【００５４】
ポジションＰ（＋３）における「Ｌ、Ｌ」の状態から、出力点ＩＡが「Ｈ」に変化して、２ビット論理値が「Ｈ、Ｌ」となったら、ポジションＰ（＋２）へ戻した操作と判別する。
【００５５】
ポジションＰ（−１）における「Ｈ、Ｌ」の状態から、出力点ＩＡが「Ｌ」に変化し、同時に出力点ＩＢが「Ｈ」に変化して、２ビット論理値が「Ｌ、Ｈ」となったら、ポジションＰ（−２）への操作と判別する。
一方、ポジションＰ（−１）における「Ｈ、Ｌ」の状態から、出力点ＩＢが「Ｈ」に変化して、２ビット論理値が「Ｈ、Ｈ」となったら、基準位置Ｐ（０）に復帰したと判別する。
【００５６】
ポジションＰ（−２）における「Ｌ、Ｈ」の状態から、出力点ＩＢが「Ｌ」に変化して、２ビット論理値が「Ｌ、Ｌ」となったら、ポジションＰ（−３）への操作と判別する。
一方、ポジションＰ（−２）における「Ｌ、Ｈ」の状態から、出力点ＩＡが「Ｈ」に変化し、同時に出力点ＩＢが「Ｌ」に変化して、２ビット論理値が「Ｈ、Ｌ」となったら、ポジションＰ（−１）へ戻した操作と判別する。
【００５７】
ポジションＰ（＋３）における「Ｌ、Ｌ」の状態から、出力点ＩＢが「Ｈ」に変化して、２ビット論理値が「Ｌ、Ｈ」となったら、ポジションＰ（−２）へ戻した操作と判別する。
【００５８】
以上のようにコントローラ２（ＣＰＵ２１）が、２ビット論理値と、その発生順序とによって回動／スライド操作部１の操作情報を認識することで、図１，図２で説明した回動／スライド操作部１によって７段階の操作が可能となる。
そしてそれによって、上述もしたように、Ａ／Ｄ変換器を用いない２ビット出力の回動操作部１ａ又はスライド操作部１ｂによって、７段階という多段階の操作入力を行うことができるようになる。
【００５９】
以下、本発明の変形例を述べる。
まず、電極パターンＡ、Ｂ上の電極Ａ１，Ａ２，Ａ３、電極Ｂ１，Ｂ２，Ｂ３の配列は、図１，図２に示した以外にも各種例が考えられる。
即ち、少なくとも操作開始段階で正方向操作か逆方向操作かが判別できるようにすればよいため、例えば図８に示すようにしてもよい。
図８の場合、図１と比較して電極Ａ３の配置位置が異なる。
そしてこの場合、正方向操作時には、各ポジションＰ（＋１）→Ｐ（＋２）→Ｐ（＋３）の順番に「Ｌ、Ｈ」→「Ｈ、Ｌ」→「Ｌ、Ｌ」の２ビット論理値が得られ、逆方向操作時には、各ポジションＰ（−１）→Ｐ（−２）→Ｐ（−３）の順番に「Ｌ、Ｌ」→「Ｌ、Ｈ」→「Ｈ、Ｌ」の２ビット論理値が得られる。
従って基準位置Ｐ（０）からの操作開始段階で「Ｌ、Ｈ」が検知されれば正方向操作と、また「Ｌ、Ｌ」が検知されれば逆方向操作と判別できるため、その操作方向と、検知される論理値によって７段階の操作判別が可能となる。
もちろん、これ以外にも、各種の電極配置状態が考えられる。即ち正方向と逆方向で論理値発生順序が異なるようにされればよい。
【００６０】
また上記図１，図２では、電極パターンを電極パターンＡ、Ｂの２つの構成とし、出力点ＩＡ、ＩＢにおいて２ビットの操作情報が得られる例とした。
これに加えて、さらに電極パターンＣを形成し、対応する出力点ＩＣを設けて３ビット出力とすることもできる。
３ビット、即ち３相出力とすれば、論理値は例えば「Ｈ、Ｈ、Ｈ」を基準位置とした状態で、正方向側に「Ｈ、Ｈ、Ｌ」「Ｈ、Ｌ、Ｌ」「Ｈ、Ｌ、Ｈ」「Ｌ、Ｌ、Ｈ」「Ｌ、Ｈ、Ｌ」「Ｌ、Ｈ、Ｈ」「Ｌ、Ｌ、Ｌ」の７ポジションを形成できる。そして、この論理値の発生順序を異なるようにして電極配置することで、逆方向側にも７ポジション形成できるため、合計１５段階のポジションを設定できるものとなる。
即ち出力される論理値をｎビット構成とすると、最大、（２ｎ−１）×２＋１個のポジションが形成できるものである。
この場合、（２ｎ−１）は、一方の方向側でのポジション数となり、正逆両方向であるため「×２」とされ、さらに基準位置のポジションとして「＋１」とされる。
【００６１】
また、３相構成のように出力ビット数を増加させる以外にも、他の操作態様を可能として多様な操作内容に対応する方式もある。
例えば回動操作部１ａ、スライド操作部１ｂにおいて、その操作つまみを、回動又はスライドだけでなく、押圧（プッシュ操作）できるようにする。そして、その押圧有無の情報も出力するようにする。
図９は、回動操作部１ａを押圧操作に対応する構成とした例である。図１の構成に加えて、プッシュ用電極Ｐ１を設け、操作つまみが押された場合は、スイッチＰＳがオンとなる構成例としている。
プッシュ用電極Ｐ１には抵抗ＲＰを介した電圧ＶＤのラインが接続され、また出力点ＩＰが接続されている。
スイッチＰＳは、押圧時にプッシュ用電極Ｐ１とコモン電極ＣＯＭを電気的に接続する。
従って、通常は出力点ＩＰは「Ｈ」とされるが、操作つまみが押されることで、出力点ＩＰは「Ｌ」となり、この情報が図４，図５に示したようにコントローラ２（ＣＰＵ２１）に供給される。
コントローラ２（ＣＰＵ２１）は、この押圧操作情報と、２ビット論理値による７ポジションの操作情報とを組み合わせて判断することで、１４とおりの操作内容を判別可能となる。ユーザの操作としては、操作つまみを押しながら回動させる操作と、押さないで回動させる操作が区別される。或いはあるポジションへ回動させた際に、押すか否かで区別されるようにしても良い。
また、上記３ビット構成とプッシュ操作判別を組み合わせれば、３０とおりの操作内容を判別できることになる。。
【００６２】
図１０は、スライド操作部１ｂにおいて、図９と同様にプッシュ用電極Ｐ１、出力点ＩＰ、スイッチＰＳを設けた例であり、その電気的構成は図９と同様である。
【００６３】
本発明の電子機器としては、記録再生装置１０、リモートコントローラ２０の例を挙げたが、これらに限られず、回動操作部１ａ又はスライド操作部１ｂを採用するあらゆる機器に適用できる。例えばＶＴＲ、テレビジョンモニタ、オーディオアンプ等のＡＶ機器や、パーソナルコンピュータ等の情報処理装置、或いはマウス、キーボード等の入力装置やコンピュータ周辺機器なども、本発明の電子機器として実現できる。
【００６４】
【発明の効果】
以上の説明から理解されるように、本発明によれば、第１〜第ｎの各電極パターンは、基準位置を中心とした接触子の正方向及び逆方向の操作方向のそれぞれについて、操作量に応じた最大２ｎ−１個のｎビット論理値が上記ｎビット出力点から得られ、かつ、正方向への操作時と逆方向への操作時とでｎビット出力点での論理値発生順序が異なるように、各電極配列状態が設定されているため、操作量（回動量やスライド量）に応じた値として、より多数段階の値を得ることができる。例えばｎ＝２として、第１、第２の電極パターンと、第１、第２の出力点を備え、２ビット論理値が得られる簡易な構成のままにおいて、７段階の論理値入力が可能となる。ｎ＝３とすれば１５段階の論理値入力が可能となる。
従って、Ａ／Ｄ変換器を用いた電圧変動型の操作入力部のように十分な段階数による多様な操作内容の入力を、Ａ／Ｄ変換器を使用せずに簡易なパルス型の構成で実現できるという効果がある。またこれによってコストダウンや装置構成の簡略化を実現できる。
【図面の簡単な説明】
【図１】本発明の実施の形態の回動操作部の構造の説明図である。
【図２】実施の形態のスライド操作部の構造の説明図である。
【図３】実施の形態の回動／スライド操作部で得られる論理値の説明図である。
【図４】実施の形態の電子機器としての記録再生装置のブロック図である。
【図５】実施の形態の電子機器としてのリモートコントローラのブロック図である。
【図６】実施の形態の操作入力検出動作の説明図である。
【図７】実施の形態の操作入力検出処理の説明図である。
【図８】実施の形態の他の電極配置状態の説明図である。
【図９】実施の形態の他の回動操作部の構造の説明図である。
【図１０】実施の形態の他のスライド操作部の構造の説明図である。
【符号の説明】
１　回動／スライド操作部、１ａ　回動操作部、１ｂ　スライド操作部、２　コントローラ、３　記録再生ヘッド部、４　エンコード／デコード部、５　入出力部、７　操作部、９　受光部、２１　ＣＰＵ、２３　発光駆動部、２４　キーマトリクス、Ａ１，Ａ２，Ａ３，Ｂ１，Ｂ２，Ｂ３　電極、ＣＯＭ　コモン電極、ＩＡ，ＩＢ　出力点
【図１】
2004020507.tif 000003
【図２】
2004020507.tif 000004
【図３】
2004020507.tif 000005
【図４】
2004020507.tif 000006
【図５】
2004020507.tif 000007
【図６】
2004020507.tif 000008
【図７】
2004020507.tif 000009
【図８】
2004020507.tif 000010
【図９】
2004020507.tif 000011
【図１０】
2004020507.tif 000012